(57)【要約】【課題】熱管理のためのアクティブな冷却デバイスを備えた照明装置を提供すること。【解決手段】照明装置の実施形態は、光源と、照明装置の内部でエアフローを伝播させて光源からの熱を放散させるアクティブ冷却デバイスとを備えている。ある実施形態では、照明装置は、発光ダイオード（ＬＥＤ）デバイスとこの発光ダイオード（ＬＥＤ）デバイスと直列に結合するインダクタとを備えている。照明装置は、更に、インダクタに磁気的に結合するダイアフラムを備え、このダイアフラムは、第１の位置と第２の位置との間で屈曲してエアフローを生成することができる。【選択図】図１
2014116304.tif 000002
【特許請求の範囲】
【請求項１】
光源と、
前記光源と電気的に結合されており、前記光源に電力を供給する第１の入力信号に応答して磁場を生成するフィールドジェネレータと、
前記磁場を経由して前記フィールドジェネレータと磁気的に結合されたアクチュエータと、
を備えた照明装置。
【請求項２】
前記光源が発光ダイオードデバイスを含む、請求項１記載の照明装置。
【請求項３】
前記アクチュエータが、周辺エッジの周りに固定されたダイアフラムを含み、前記ダイアフラムが第２の入力信号に応答して第１の位置と第２の位置との間を移動する、請求項１記載の照明装置。
【請求項４】
前記第１の入力信号が直流信号を含み、前記第２の入力信号が交流信号を含む、請求項３記載の照明装置。
【請求項５】
前記フィールドジェネレータが、ベース要素と前記ベース要素の周囲に巻かれた巻線を備えたインダクタとを含む、請求項１記載の照明装置。
【請求項６】
前記インダクタが前記光源と直列に結合している、請求項５記載の照明装置。
【請求項７】
前記ベース要素が、前記巻線上の前記第１の入力信号に応答して磁化する材料を含む、請求項５記載の照明装置。
【請求項８】
前記ベース要素が、一対の外部脚部とそれらの間に配置された内部脚部とを備えたフォームファクタを有し、前記巻線が少なくとも前記内部脚部の周囲に巻かれている、請求項５記載の照明装置。
【請求項９】
前記フィールドジェネレータが前記アクチュエータの対向する側に配置された第１のフィールドジェネレータと第２のフィールドジェネレータとを含み、前記第１のフィールドジェネレータと前記第２のフィールドジェネレータとが前記光源と直列に結合している、請求項１記載の照明装置。
【請求項１０】
前記光源と熱的に接触しているヒートシンクを更に備えており、前記ヒートシンクがＡシリーズの白熱電球を画定するエンベロープの内部に適合する、請求項１記載の照明装置。
【請求項１１】
発光ダイオードデバイスと、
前記発光ダイオードデバイスとグランドとに対して直列回路を形成し、前記発光ダイオードデバイスに電力を供給する第１の入力信号に応答して磁場を生成するアクティブ冷却デバイスと、
を備えた照明装置。
【請求項１２】
前記アクティブ冷却デバイスと結合する駆動回路を更に備えており、前記駆動回路が交流入力を直流入力に変換し、前記第１の入力信号が前記直流入力を含む、請求項１１記載の照明装置。
【請求項１３】
前記駆動回路が、前記交流入力を含む第２の入力信号を生成する、請求項１２記載の照明装置。
【請求項１４】
前記アクティブ冷却デバイスが第１の位置と第２の位置とを有するダイアフラムを含み、前記ダイアフラムが前記交流入力に応答して前記第１の位置と前記第２の位置との間で屈曲する、請求項１３記載の照明装置。
【請求項１５】
前記発光ダイオードデバイスと熱的に接触するヒートシンクと、
エジソンタイプの照明装置のソケットと互換性を有するコネクタと、
を更に備えた請求項１１記載の照明装置。
【請求項１６】
第１の入力信号と前記第１の入力信号とは異なる第２の入力信号とを生成する駆動回路と、
前記駆動回路と結合されており前記第１の入力信号を受け取る発光ダイオードデバイスと、
前記発光ダイオードデバイスと直列に結合されており前記第１の入力信号をグランドに導通させる第１のインダクタと、
前記第１のインダクタと磁気的に結合されており、前記駆動回路からの前記第２の入力信号に応答して第１の位置と第２の位置との間で屈曲する材料を含むダイアフラムと、
を備えた照明装置。
【請求項１７】
前記第１のインダクタと直列に結合された第２のインダクタを更に備えており、前記ダイアフラムが前記第２のインダクタと磁気的に結合されている、請求項１６記載の回路。
【請求項１８】
前記駆動回路が、前記発光ダイオードデバイスと結合された整流器を備えたＬＥＤ駆動回路を備えている、請求項１６記載の回路。
【請求項１９】
前記駆動回路が前記ダイアフラムと結合されたダイアフラム駆動回路を備えており、前記ダイアフラム駆動回路が前記第２の入力信号に、前記ダイアフラムが前記第１の位置と前記第２の位置との間で屈曲する周波数を決定する波形を提供する、請求項１６記載の回路。
【請求項２０】
ベース要素を更に備えており、前記インダクタが前記ベース要素の周囲に巻かれた巻線を有し、前記ベース要素が前記第１の入力信号に応答して磁化する、請求項１６記載の回路。
【発明の詳細な説明】
【技術分野】
【０００１】
本開示の主題は、照明装置および照明デバイスに関し、詳しくは、高効率の光源と、例えばシンセティックジェットイジェクタなどのアクティブ冷却デバイスを用いた熱管理とを組み合わせた照明装置の実施形態に関する。
【背景技術】
【０００２】
白熱電球は、これまで１００年以上にわたって用いられてきた。しかし、白熱灯に代わる商業的に実現可能な代替物として、照明装置のための他のタイプの光源が有望であることが示されている。高効率の光デバイス（例えば、発光ダイオード（ＬＥＤ）デバイス）を用いる照明装置は、そのようなデバイスによると高効率な光出力を通じてエネルギが節約できるため、魅力的である。更に、ＬＥＤデバイスやそれ以外のソリッドステート照明技術は、白熱灯よりも優れたパフォーマンスを提供する。例えば、白熱灯の寿命（例えば、時間経過に伴う光束維持および信頼性）は、１０００時間から５０００時間の範囲にあるのが典型的である。他方で、ＬＥＤデバイスを用いる照明装置は、２万５千時間を超えて、おそらくは１０万時間以上もの間、動作が可能である。
【０００３】
光源としてＬＥＤデバイスを用いる照明装置のパフォーマンスの質には、いくつかの因子が影響を及ぼしうる。例えば、多くのＬＥＤデバイスでは、直流（ＤＣ）入力を用いている。そのために、ＬＥＤデバイスを備えた照明装置は、家庭および／またはオフィスの環境で一般的な電源である交流（ＡＣ）入力からＤＣ入力を生じさせなければならない。この特徴が、ＬＥＤデバイスの動作に影響を及ぼす可能性がある。例えば、照明装置における他の動作コンポーネントとの関係に加え、少なくとも部分的にはＡＣ入力からＤＣ入力への変換に起因して、リプルやそれ以外の異常がＤＣ入力において広く生じるおそれがある。このような異常は、ＬＥＤデバイスのパフォーマンスに影響を及ぼす可能性がある。
【０００４】
また、ＬＥＤデバイスは高温に対して敏感であり、そのことが、白熱灯やハロゲン照明装置と比較して、パフォーマンスと信頼性との両方に影響を及ぼすことがありうる。しかし、ＬＥＤデバイスは、ＤＣ入力の相当な部分を熱エネルギに変換することが知られている。そのため、ＬＥＤデバイスを用いる照明装置は、光源を受け入れ可能な温度に維持して、適切な寿命を達成するため、熱を放散させる効率的な熱管理システムを含むことが多い。しかし、照明装置のサイズやパッケージングに対する物理的な制約のために、熱の放散というタスクは更に複雑になる。例えば、基準値によって、照明装置の全コンポーネントがその中に適合しなければならないエンベロープのための最大寸法が画定される。このエンベロープのために、それ以外の方法で照明装置から熱を適切に放散させる外形やデバイスの設計やレイアウトのための選択肢が制約を受ける。
【０００５】
この目的のために、ＬＥＤデバイスを用いている照明装置において熱を放散させる熱管理デバイスが、知られている。これらのデバイスのいくつかは、従来型のファン、圧電素子、およびシンセティックジェットイジェクタを用いる。後者のタイプすなわちシンセティックジェットイジェクタでは、例えばＡＣ入力に応答して屈曲するダイアフラムを用いる。ダイアフラムの屈曲により、ＬＥＤデバイスおよび／または照明装置の全体にエアフローが伝播する。構成要素のこのような構成により、局所的なレベル、例えば光源において、効率的で多様な冷却が得られる。しかし、シンセティックジェットイジェクタのパッケージングはＬＥＤデバイスを備えた照明装置のエンベロープやそれ以外の構造に特に適しているのではあるが、このタイプの冷却機構は、高価なコンポーネントを用いるのが典型である。そのようなコンポーネントでは、ＬＥＤデバイスやソリッドステート技術を備えた照明装置を白熱灯やハロゲンベースの電球技術に対する確実な代替物とするのに必要である費用および持続可能性に関する要件を満たさない場合がありうる。
【先行技術文献】
【特許文献】
【０００６】
【特許文献１】米国特許第８，０６６，８７４号公報
【発明の概要】
【課題を解決するための手段】
【０００７】
本開示は、ある実施形態では、光源と、光源と電気的に結合されたフィールドジェネレータとを備えた照明装置を説明している。このフィールドジェネレータは、光源に電力を供給する第１の入力信号に応答して磁場を生成する。また、この照明装置は、磁場を経由してフィールドジェネレータと磁気的に結合されたアクチュエータを備えている。
【０００８】
本開示は、また、ある実施形態では、発光ダイオードデバイスを備えた照明装置を説明している。この照明装置は、発光ダイオードデバイスとグランドとに対して直列回路を形成するアクティブ冷却デバイスを更に含む。このアクティブ冷却デバイスは、発光ダイオードデバイスに電力を供給する第１の入力信号に応答して磁場を生成する。
【０００９】
本開示は、更に、ある実施形態では、第１の入力信号と第１の入力信号とは異なる第２の入力信号とを生成する駆動回路を備えた照明装置を説明している。この照明装置は、また、駆動回路と結合されており第１の入力信号を受け取る発光ダイオードデバイスと、発光ダイオードデバイスと直列に結合されており第１の入力信号をグランドに導通させる第１のインダクタと、第１のインダクタと磁気的に結合されており駆動回路からの第２の入力信号に応答して第１の位置と第２の位置との間で屈曲する材料を含むダイアフラムと、を備えている。
【００１０】
本開示の他の特徴と効果とは、以下の説明を添付の図面と共に参照することによって明らかになるはずである。
【００１１】
ここで、添付の図面を簡単に参照する。
【図面の簡単な説明】
【００１２】
【図１】照明装置の例示的な実施形態の側面図である。
【図２】照明装置の例示的な実施形態の概略図である。
【図３】例えば図１および２の照明装置である照明装置のある構成の回路図である。
【図４】例えば図１および２の照明装置である照明装置の別の構成の回路図である。
【図５】例えば図１および２の照明装置である照明装置の更に別の構成の回路図である。
【図６】例えば図１および２の照明装置である更に別の例示的な照明装置のトポロジのための概略的な配線図である。
【発明を実施するための形態】
【００１３】
適用可能な場合には、複数の図面にわたり、類似の参照符号が同一のまたは対応するコンポーネントおよびユニットを示している。ただし、特に示されていない場合には、これらは寸法通りではない。
【００１４】
広くは、以下の議論は、例えば１つまたは複数の発光ダイオード（ＬＥＤ）デバイスなどの光源を備えた照明装置の実施形態に焦点を合わせたものである。これらの実施形態は、また、光源からの熱を放散させるためのアクティブ冷却デバイスを組み入れている。このアクティブ冷却デバイスは、照明装置の内部で空気（またはそれ以外の流体）の移動を生じさせる。結果的に生じるエアフローが、例えば、光源から照明装置の他の構造への、および／または、照明装置のまったく外部への熱伝達を容易にする。しかし、後述するように、アクティブ冷却デバイスは、従来型のシンセティックジェット技術と比較して費用効率がより優れているだけではなく、照明装置の回路の中に一体化されるコンポーネントを用いることにより、ＬＥＤデバイスを駆動する入力信号におけるリプルや他の異常および変動に伴う問題を回避できる。これらの変動は、照明装置のパフォーマンスを低下させるおそれがある。
【００１５】
図１は、熱を放散させるためにアクティブな冷却を用いる照明装置１００の例示的な実施形態を図解している。照明装置１００は、光源１０２と、光源１０２からの光を散乱させる光学アセンブリ１０４とを含む。光源１０２は、１つまたは複数の発光ダイオード（ＬＥＤ）デバイスを含みうる。熱放散要素１０６が（「ヒートシンク１０６」もまた）、光源１０２と熱的に接触している。ヒートシンク１０６は、必要に応じて、光学アセンブリ１０４を支持することもできる。照明装置１００は、更に、光源１０２および／またはヒートシンク１０６の一部と流体的に接続されたアクティブ冷却デバイス１０８を含む。この構成により、光源１０２からの効率的な熱伝達が促進され、照明装置１００のパフォーマンスに悪影響を及ぼすことがありうる加熱が回避される。
【００１６】
照明装置１００の実施形態は、また、本体１１２とコネクタ１１４とを備えたベースアセンブリ１１０を有する。本体１１２とコネクタ１１４とは共に、光源１０２とアクティブ冷却モジュール１０８とを駆動し制御する様々な電気的要素および回路を包囲しうる。コネクタ１１４の例は、米国の家庭やオフィスでみられるエジソン型の電球ソケットや、電気を照明装置１００のコンポーネントに導通させることができる他のタイプのソケットおよびコネクタとの互換性を有する。これらのタイプのコネクタは、照明装置１００に適合して、例えば白熱灯やコンパクトな電球型蛍光灯など既存の光生成デバイスを代替する。例えば、照明装置１００は、発光装置においてしばしば用いられる様々なＡシリーズの（例えば、Ａ−１９）の白熱灯の任意のものに代わることができる。
【００１７】
図２は、照明装置２００の別の例示的な実施形態の概略図を示す。照明装置２００は、光源２０２とアクティブ冷却モジュール２０８とを含む。照明装置２００は、また、駆動回路２１６を含み、駆動回路２１６は、例えば交流１２０Ｖの外部電源２１８から電力信号を受け取る。駆動回路２１６は、光源２０２とアクティブ冷却モジュール２０８とに結合している。ある実施形態では、アクティブ冷却デバイス２０８は、フィールドジェネレータ２２０とアクチュエータ２２２とを含み、アクチュエータ２２２は、空気が例えばヒートシンク１０６（図１）を通過して流れるようにする態様で動作する。フィールドジェネレータ２２０は、例えば電気信号からの作用を受けて磁場２２４を生成する。ある実施形態では、フィールドジェネレータ２２０は、光源２０２と直列に電気的に結合し、かつ、磁場２２４を経由してアクティブなアクチュエータ２２２とも磁気的に結合する。
【００１８】
ランプ２００が動作する間、電源２１８は、電力入力信号２２６を駆動回路２１６に提供する。電力入力信号２２６は、例えば、照明装置２００が固定されている光固定装置におけるソケットから上昇しうる。電力入力信号２２６に応答して、駆動回路２１６は、第１の入力信号２２８と第２の入力信号２３０とを生成する。第１の入力信号２２８は、光源２０２とフィールドジェネレータ２２０に電力を供給する。この構成により、光源２０２は光を生成し、フィールドジェネレータ２２０は磁場２２４を生成する。第２の入力信号２３０は、アクチュエータ２２２を刺激する。ある例では、磁場２２４は、アクチュエータ２２２の迅速な移動と協動して、光源２０２を冷却するエアフローを伝播させるように作用する。
【００１９】
フィールドジェネレータ２２０の例は、電気的な刺激により磁化する。このコンポーネントは、希土類の永久磁石と同じ特性を備えた磁場２２４を、しかし、はるかに低コストで生成する。この目的のために、フィールドジェネレータ２２０を使用することで、従来型のシンセティックジェットデバイスと共に用いられている希土類の永久磁石を置き換えることができる。この特徴により、希土類の永久磁石のコストを、はるかに低コストのコンポーネント（例えばフィールドジェネレータ２２４）で減少させるまたは消去させることが可能になる。更に、後述するように、フィールドジェネレータ２２０を光源２０２と結合することにより、光源２０２の動作に影響を及ぼす可能性がある第１の入力信号２２８の変動を滑らかにすることができる。
【００２０】
図３は、照明装置３００のある例示的な構成のための詳細を提供している。この構成では、光源３０２は、発光ダイオード（ＬＥＤ）デバイス３３２を備えている。フィールドジェネレータ３２０はベース要素３３４とインダクタ３３６とを含み、インダクタ３３６は、ＬＥＤデバイス３３２と直列に結合して第１の入力信号をＬＥＤドライバのグランド３３８に導通させる。ある例では、ベース要素３３４は、複数の脚部（例えば、第１の脚部３４２、第２の脚部３４４、および第３の脚部３４６）を備えた本体３４０を有する。第１の脚部３４２と第３の脚部３４６とは一対の外部脚部を形成し、第２の脚部３４４はそれらの間に配置された内部脚部を形成する。アクチュエータ３２２は、周囲エッジ３５０の回りに固定されたダイアフラム３４８を含む。ダイアフラム３４８は、第１の位置３５２と第２の位置３５４とを有する。ある例では、駆動回路３１６が、ＬＥＤデバイス３３２とダイアフラム３４８とにそれぞれが結合するＬＥＤドライバ回路３５６とアクチュエータドライバ回路３５８とを含む。
【００２１】
ＬＥＤドライバ回路３５６とアクチュエータドライバ回路３５８と（集合的に「ドライバ回路」と称する）の例は、ＬＥＤデバイス３３２、インダクタ３３６、およびダイアフラム３４８に電力を供給する信号を生成する。これらのドライバ回路は、離散的および／または集積された電気的素子（例えば、トランジスタ、抵抗、コンデンサ、ダイオードなど）の様々な組み合わせを含みうる。ある実施形態では、ドライバ回路の要素は、交流（ＡＣ）入力（例えば、電力入力信号３２６）で動作しうる。例えば、アクチュエータドライバ回路３５８の要素は、結果的に生じるＡＣ入力（例えば、第２の入力信号３３０）がダイアフラム３４８を第１の位置３５２と第２の位置３５４との間で所望の周波数で移動（および／または発振）させるパラメータ（例えば、電流、電圧、波形など）を有するように、交流（ＡＣ）入力の波形をチューニングすることができる。ある構成では、結果的に生じるＡＣ入力のパラメータが、ダイアフラム３４８の移動が生じる周波数および／または速度を決定する。
【００２２】
他方では、ＬＥＤドライバ回路３５６の要素は、交流（ＡＣ）入力を直流（ＤＣ）入力（例えば、第１の入力信号３２８）に変換することができる。このＤＣ入力は、ＬＥＤデバイス３３２の動作と適合するパラメータ（例えば、電流、電圧、波形など）を有しうる。更に、上述したように、ＡＣ入力からＤＣ入力への変換はＤＣ入力にリプルを注入する（または、生じさせる）可能性があるが、インダクタ３３６をＬＥＤデバイス３３２と直列に結合することは、変動を滑らかにし、ＬＥＤデバイス３３２のパフォーマンスを向上させる。
【００２３】
本体３４０のためのフォームファクタは、他の形状に加え、図３に示されている「Ｅ」の構造を含みうる。形状の選択により、磁場の要求される特性（例えば、磁場強度）を予測することが可能になる。照明装置３００に対するパッケージングの制約（例えば、エンベロープ）は、また、それに関連する形状と寸法の１つまたは複数とを少なくとも部分的には決定することができる。ある実施形態では、本体３４０は、例えばＤＣ入力によるインダクタ３３６の刺激に応答して磁化する例えばフェライトなどの材料を含む。しかし、本体３４０の材料は、希土類の永久磁石と類似の磁場強度を有する磁場を、より低コストで、提供することができる。
【００２４】
図３に示されているように、インダクタ３３６は、本体３４０の脚部の１つ（例えば、第２の脚部３４４）の回りに巻かれた複数の巻線を備えている。ベース要素３３４のための材料のタイプとフォームファクタとに加えて、インダクタ３３６の巻線の数と材料組成とによって、磁場の強度を決定することができる。他の構成では、インダクタ３３６は、脚部（例えば、第１の脚部３４２、第２の脚部３４４、および第３の脚部３４６）のそれぞれに巻線を有することがありうる。しかし、本開示では、ベース要素３３４とインダクタ３３６と（単独でまたは組み合わせて）の特徴に対する変化および変動を、例えばＤＣ入力におけるリプルを減少させるために、磁場の強度をチューニングすることと平滑化およびフィルタリングの最適値（または、あるレベル）を提供することとの両方が行われるように、選択できることを想定している。
【００２５】
更に、図３は、ただ１つのダイアフラムが存在する単一面型のアクティブ冷却デバイスの使用を示している。従って、ダイアフラムを移動させるためにアクチュエータの信号によって押される磁場を形成するには、ただ１つのインダクタが必要である。これは低コストのアプローチであるが、エンドユーザにとって認識可能な望まない振動を生じうる。そのような振動を消去するために、この照明装置は、１つまたは複数の追加的なダイアフラムを含むことがありうる。この構成は、冷却性能を向上させ（例えば、追加されるダイアフラムが１つである場合には２倍になる）、複数のダイアフラムが相互に位相が１８０度ずれた状態で動作するときには、望まない振動をほとんど消去する。本開示は、この構成を図解するために、複数のダイアフラムを用いる図４および５において、複数の実施形態を図解している。
【００２６】
図４および５は、フィールドジェネレータとアクチュエータとの配列に関する他の例示的な構成を説明するために、照明装置４００（図４）と照明装置５００（図５）との実施形態を示している。図４の照明装置４００は、第１のアクチュエータ４６２と第２のアクチュエータ４６４との間に配置された第１のフィールドジェネレータ４６０を含む。第１のフィールドジェネレータ４６０は、第１のベース要素４６６と第１のインダクタ４６８とを含む。この例では、フィールドジェネレータ４６０からの磁場は、冷却のためのエアフローを生成するためにアクチュエータ４６２、４６４を動作させるのに十分である。動作の間、駆動回路４１６は、電源４１８から入力電力信号４２６を受け取る。ＬＥＤドライバ回路４５６は、光源４０２に電力を与えて発光ダイオード（ＬＥＤ）デバイス４３２に光を生じさせる入力４２８を生成する。アクチュエータドライバ回路４５８は、アクチュエータ４６２、４６４を動作させる入力４５０を生じる。入力４２８は、また、フィールドジェネレータ４６０に、本明細書で論じられているようにアクチュエータ４６２、４６４を動作させるのに有用な磁場を生成させる。
【００２７】
図５の例では、第１のベース要素５６６と第１のインダクタ５６８とを含む第１のフィールドジェネレータ５６０に加えて、照明装置５００は、更に、第２のベース要素５７２と第２のインダクタ５７４とを備えた第２のフィールドジェネレータ５７０を含む。インダクタ５６８、５７４は、ＬＥＤデバイス５３２と直列に（そして、ある例では、相互に直列に）結合して、第１の入力信号５２８をグランド５３８に導通させる。動作の間、駆動回路５１６は、電源５１８から入力電力信号５２６を受け取る。ＬＥＤドライバ回路５５６は、光源５０２に電力を与えて発光ダイオード（ＬＥＤ）デバイス５３２に光を生じさせる入力５２８を生成する。アクチュエータドライバ回路５５８は、アクチュエータ５６２、５６４を動作させる入力５３０を生成する。入力５２８は、また、フィールドジェネレータ５６０に、本明細書で論じられているようにアクチュエータ５６２、５６４を動作させるのに有用な磁場を生成させる。
【００２８】
図６には、例示的な照明装置６００のためのトポロジを示す概略的な配線図が示されている。このトポロジは、有用であり設計を具体化することができる様々なコンポーネント（例えば、抵抗、コンデンサ、スイッチ、ダイオードなど）を含んでいる。本開示は、また、図面に示されている以外のトポロジを形成するようなコンポーネントの他の構成も想定している。
【００２９】
図６に示されているように、照明装置６００は、光源６０２と電源６１８とを含む。光源６０２は、インダクタ６３６と直列に結合されている複数のＬＥＤデバイス６３２を有する。電力を与えられると、インダクタ６３６は、ダイアフラム６４８と磁気的に結合する。図６において左から右に移動すると、照明装置６００は、また、整流器ダイオード６７６の組を備えたＡＣ／ＤＣ整流器の形式のコンバータコンポーネントを含む。ＡＣ／ＤＣ整流器は、光源６０２を駆動することができる電源６１８からの入力電力信号を（例えば、ＤＣ信号に）変換する。照明装置６００は、また、フィルタコンポーネントを含み、このフィルタコンポーネントは、この場合、フィルタリングコンデンサ６７８とフィルタリング抵抗６８０とを備えたＲＣ回路を含む。ＲＣ回路の例は、入力電力信号からのノイズや電磁気的干渉をフィルタリングする。照明装置６００は、更に、電源制御回路６８２とスイッチ６８４とを含み、これらの組み合わせによって、アクチュエータドライバ６５８への入力電力信号を規制することができる。ここでの例では、照明装置６００は、また、例えば、動作インダクタ６８６、動作ダイオード６８８、動作コンデンサ６９０、および動作抵抗６９２など、１つまたは複数の動作コンポーネントを含む。動作インダクタ６８６、動作ダイオード６８８、および動作コンデンサ６９０は、集合的に、発光ダイオード６３２への入力電力信号の動作パラメータ（例えば、周波数）を修正する共振タンクを形成する。動作抵抗６９２は、電源回路６８２の両端の間で特定の電圧を維持する。この特定の電圧の値は、動作抵抗６９２の値（例えば、抵抗値）に基づいて、修正されうる。
【００３０】
以上の議論に照らすと、照明装置（例えば、図１、２、３、４、５、および６の照明装置１００、２００、３００、４００、５００、６００）の実施形態は、光源の駆動信号の変動のフィルタリングおよび／または減衰を通じてパフォーマンスを向上させながら、アクティブな冷却の効果を与える。このようにして、これらの実施形態は、例えば、従来型の白熱灯および蛍光灯型電球に対する適切な代替物である照明装置のコスト、製造、およびパッケージングに関する複数の制約条件と調和することが可能である。
【００３１】
本明細書では、単数形で記載され「ａ」または「ａｎ」という語が先行する要素または機能は、除外が明示的に記載されていない限り、複数のそのような要素または機能を除外しないものと理解されるべきである。更に、特許請求されている本発明の「ある実施形態」という引用は、記載されている特徴も組み入れている追加的な実施形態の存在を除外しないものとして解釈されるべきである。
【００３２】
本明細書は、例を用いて、最良の形態を含む本発明の実施形態を開示し、また、当業者が本発明を実施できるようにしており、この実施は、任意の装置またはシステムを作成および使用することと、任意の組み込まれた方法を実行することとを含む。本発明の特許可能な範囲は、特許請求の範囲によって画定され、当業者が想到する他の例を含むことがありうる。そのような他の例は、それらが請求項の文言と異ならない構造的要素を有する場合、または、それらが請求項の文言と実質的に異ならない均等な構造的要素を含む場合には、特許請求の範囲に含まれるものとする。
【符号の説明】
【００３３】
１００  照明装置
１０２  光源
１０４  光学アセンブリ
１０６  熱放散要素（ヒートシンク）
１０８  アクティブ冷却デバイス（モジュール）
１１０  ベースアセンブリ
１１２  本体
１１４  コネクタ
２００  照明装置
２０２  光源
２０８  アクティブ冷却モジュール（デバイス）
２１６  駆動回路
２１８  外部電源
２２０  フィールドジェネレータ
２２２  アクチュエータ
２２４  磁場
２２６  電力入力信号
２２８  第１の入力信号
２３０  第２の入力信号
３００  照明装置
３０２  光源
３１６  駆動回路
３１８  電源
３２０  フィールドジェネレータ
３２２  アクチュエータ
３２８  第１の入力信号
３３０  第２の入力信号
３３２  発光ダイオード（ＬＥＤ）デバイス
３３４  ベース要素
３３６  インダクタ
３３８  グランド
３４０  本体
３４２  第１の脚部
３４４  第２の脚部
３４６  第３の脚部
３４８  ダイアフラム
３５０  周囲エッジ
３５２  第１の位置
３５４  第２の位置
３５６  ＬＥＤドライバ回路
３５８  アクチュエータドライバ回路
４００  照明装置
４０２  光源
４１６  駆動回路
４１８  電源
４２６  入力電力信号
４２８  入力
４３２  発光ダイオード（ＬＥＤ）デバイス
４５０  入力
４５６  ＬＥＤドライバ回路
４５８  アクチュエータドライバ回路
４６０  第１のフィールドジェネレータ
４６２  第１のアクチュエータ
４６４  第２のアクチュエータ
４６６  第１のベース要素
４６８  第１のインダクタ
５００  照明装置
５０２  光源
５１６  駆動回路
５１８  電源
５２６  入力電力信号
５２８  第１の入力信号
５３０  入力
５３２  ＬＥＤデバイス
５３８  グランド
５５６  ＬＥＤドライバ回路
５５８  アクチュエータドライバ回路
５６０  第１のフィールドジェネレータ
５６２  第１のアクチュエータ
５６４  第２のアクチュエータ
５６６  第１のベース要素
５６８  第１のインダクタ
５７０  第２のフィールドジェネレータ
５７２  第２のベース要素
５７４  第２のインダクタ
６００  照明装置
６０２  光源
６１８  電源
６３２  ＬＥＤデバイス
６３６  インダクタ
６４８  ダイアフラム
６５８  アクチュエータドライバ
６７６  整流器ダイオード
６７８  フィルタリングコンデンサ
６８０  フィルタリング抵抗
６８２  電源制御回路
６８４  スイッチ
６８６  動作インダクタ
６８８  動作ダイオード
６９０  動作コンデンサ
６９２  動作抵抗
【図１】
2014116304.tif 000003
【図２】
2014116304.tif 000004
【図３】
2014116304.tif 000005
【図４】
2014116304.tif 000006
【図５】
2014116304.tif 000007
【図６】
2014116304.tif 000008